(57)【要約】  本発明は、OFDMシステムにおける補間方法、チャネル推定方法及び装置を提供し、OFDMシステムにおける各OFDMシンボルは、まばらに挿入された分散パイロットを有し、本方法は、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入することを、OFDMシンボル内で分散パイロットを伝送したサブチャネルのチャネル状態情報が、線形フィルタリングにより取得された後に行うステップステップ(S602)と、FIRフィルタにより、チャネル状態情報と共に補間を行うステップ(S604)とを有する補間方法である。
2010517338.tif 000002
【特許請求の範囲】
【請求項１】
OFDMシステムにおける補間方法であって、該OFDMシステムにおける各OFDMシンボルは、まばらに挿入された分散パイロットを有し、当該方法は、
各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入することを、OFDMシンボル内で分散パイロットを伝送したサブチャネルのチャネル状態情報が、線形フィルタリングにより取得された後に行うステップ(S602)と、
FIRフィルタにより、チャネル状態情報と共に補間を行うステップ(S604)と
を有する、補間方法。
【請求項２】
前記の補間は、
【数６】
2010517338.tif 000008
の数式にしたがって実行可能である、請求項1記載の補間方法。
【請求項３】
挿入されている分散パイロット間の間隔は、ナイキストサンプリング理論を満足するものである、請求項1又は2に記載の補間方法。
【請求項４】
前記仮想パイロットの数は、前記FIRフィルタの長さの半分に決められている、請求項1ないし3の何れか1項に記載の補間方法。
【請求項５】
OFDMシステムにおけるチャネル推定方法であって、
送信された既知の分散パイロットを分離することで、OFDMシンボルで受信した分散パイロットのCSIを推定するステップ(S702)と、
前記OFDMシンボルに線形フィルタリングを施し、分散パイロットを伝送したサブチャネルのチャネル状態情報を取得し、該チャネル状態情報を保存するステップ(S704)と、
各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行するステップ(S706)と
を有するチャネル推定方法。
【請求項６】
前記の補間は、
【数７】
2010517338.tif 000009
の数式にしたがって実行可能である、請求項5記載のチャネル推定方法。
【請求項７】
挿入されている分散パイロット間の間隔は、ナイキストサンプリング理論を満足するものである、請求項5又は6に記載のチャネル推定方法。
【請求項８】
前記仮想パイロットの数は、前記FIRフィルタの長さの半分に決められている、請求項5ないし7の何れか1項に記載のチャネル推定方法。
【請求項９】
OFDMシンボル内の分散パイロットについてチャネル推定を行う前段プロセッサと、
前記前段プロセッサに結合され、前記OFDMシンボルに線形フィルタリングを施し、前記分散パイロットを伝送したサブチャネルのチャネル状態情報を取得する時間領域補間モジュールと、
前記時間領域補間モジュールに結合され、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行する、周波数領域補間モジュールと
を有するチャネル推定装置。
【請求項１０】
前記の補間は、
【数８】
2010517338.tif 000010
の数式にしたがって実行可能である、請求項9記載のチャネル推定装置。
【請求項１１】
挿入されている分散パイロット間の間隔は、ナイキストサンプリング理論を満足するものである、請求項9又は10に記載のチャネル推定装置。
【請求項１２】
前記仮想パイロットの数は、前記FIRフィルタの長さの半分に決められている、請求項9ないし11の何れか1項に記載のチャネル推定装置。
【発明の詳細な説明】
【技術分野】
【０００１】
本発明は一般に通信の技術分野に関連し、特にOFDMシステムにおける補間方法、チャネル推定方法及び装置に関連する。
【背景技術】
【０００２】
OFDM技術は、広帯域無線通信におけるマルチパスチャネル状態に対処するための主要な技術の1つである。多くのパイロットを用いたOFDMシステムにおけるチャネル推定法は、ウィナーフィルタ(Wiener  Filter)のような周波数領域フィルタリング技術を用いて、マルチパスチャネル状態に対処している(2次元のパイロットシンボルを用いたウィナーフィルタによるチャネル推定が行われる。)。チャネル係数を正確に計算するため、一般に、チャネル推定装置を実現する際、FIRフィルタが使用される。周波数領域の補間装置は、通常、OFDMシンボルに3つの部分を用意し、それらは：開始部分、本体(ボディ)部分及び終了部分である。これらの部分に適用される補間方法は異なる。しかしながら、そのような特殊な取り扱いは、ハードウエア設計において高くつく。なぜなら、多数のサイクルの中で一度しか使用されないそれらの係数を保存するために、多くのメモリリソースが必要になるからである。さらに、フィルタ係数をキャッシュ(保存)するレジスタの内容は、頻繁にリフレッシュされる必要があり、複雑な制御論理装置が必要となり、多くの電力を消費してしまう。
【発明の概要】
【発明が解決しようとする課題】
【０００３】
本発明の課題は、上記の問題の何れかを解決する、OFDMシステムにおける補間方法、チャネル推定方法及び装置を提供することである。
【課題を解決するための手段】
【０００４】
本発明の一形態によれば、OFDMシステムにおける補間方法が使用され、該OFDMシステムにおける各OFDMシンボルは、まばらに挿入された分散パイロットを有し、当該方法は、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入することを、OFDMシンボル内で分散パイロットを伝送したサブチャネルのチャネル状態情報(CSI)が、線形フィルタリングにより取得された後に行うステップ(S602)と、FIRフィルタにより、チャネル状態情報と共に補間を行うステップ(S604)とを有する方法である。
【０００５】
本発明の一形態によれば、OFDMシステムにおけるチャネル推定方法が使用され、当該方法は、送信された既知の分散パイロットを分離することで、OFDMシンボルで受信した分散パイロットのCSIを推定するステップ(S702)と、前記OFDMシンボルに線形フィルタリングを施し、分散パイロットを伝送したサブチャネルのチャネル状態情報を取得し、該チャネル状態情報を保存するステップ(S704)であり、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行するステップ(S706)とを有する方法である。
【０００６】
本発明の一形態によれば、チャネル推定装置が使用され、本装置は、OFDMシンボル内の分散パイロットについてチャネル推定を行う前段プロセッサと、前記前段プロセッサに結合され、前記OFDMシンボルに線形フィルタリングを施し、前記分散パイロットを伝送したサブチャネルのチャネル状態情報を取得する時間領域補間モジュールと、前記時間領域補間モジュールに結合され、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行する、周波数領域補間モジュールとを有するチャネル推定装置である。
【０００７】
本発明の一形態によれば、前記の補間は、
【数１】
2010517338.tif 000003
の数式にしたがって実行可能である。
【図面の簡単な説明】
【０００８】
【図１】分散したパイロットパターンを示す図。
【図２】CSIが分かっているサブキャリアのパターンを示す図。
【図３】中間部分に対する従来の周波数領域補間の様子を示す図。
【図４】開始部分に対する従来の周波数領域補間の様子を示す図。
【図５】終了部分に対する従来の周波数領域補間の様子を示す図。
【図６】OFDMシステムにおける本発明の一実施例による補間方法のフローチャート。
【図７】本発明の一実施例によるチャネル推定方法のフローチャート。
【図８】本発明の一実施例によるチャネル推定装置を示す図。
【図９】本発明の一実施例により修正された、開始部分の周波数領域補間を説明するための図。
【図１０】本発明の一実施例により修正された、終了部分の周波数領域補間を説明するための図。
【発明を実施するための形態】
【０００９】
本発明に関する上記以外の目的、利点及び新規な特徴等は、添付図面に関連する以下の詳細な説明により、さらに明確になるであろう。
【００１０】
本発明に関する上記の一般的な説明及び以下の詳細な説明の双方は、例示的で解説的なものであり、特許請求の範囲の発明に対する詳細な説明を与えるように意図されている。
【００１１】
添付図面は、本発明のさらなる理解を促すように組み込まれて本願の一部をなし、添付図面は、本発明の原理説明を与える詳細な説明と共に本発明の実施例を例示する。
【実施例１】
【００１２】
以下、本発明に関する技術的特徴が、実施例を参照しながらさらに説明される。実施例は、好ましい例であるに過ぎず、本発明を限定するものではない。添付図面を参照しながら以下の詳細な説明を読むことで、本発明は当業者にさらに理解されるであろう。
【００１３】
パイロットを用いたOFDMシステムの場合、チャネル推定のプロセスは、通常、OFDM信号にまばらに含まれているパイロット情報を用いて実行される。分散したパイロット(scattered  pilot)は、OFDMシンボル毎のn個のOFDMサブキャリア毎に用意され、既知の振幅及び位相のリファレンス信号をもたらす。チャネル推定は、時間領域及び周波数領域の双方で補間を行うことによって達成される。通常、周波数領域の補間法として、フィルタリングが使用される。
【００１４】
DVB-Tシステムにおける周波数領域補間及び12タップのウィナーフィルタが、具体例として使用されてもよい。図1には、DVB-Tシステムにおける分散パイロットのパターンが示されている。この場合において、黒い点は分散されているパイロットを表し、白い点は、受信データ、TPS及び連続的なパイロット(continual  pilots)を表す。
【００１５】
図2は、あるサブキャリアのパターンを示し、時間領域の補間の後、そのサブキャリアのCSIは分かっている。それらのサブキャリアは、分散パイロットのサブキャリア又は時間領域で補間されたものである。
【００１６】
OFDMシンボルの中間部分(middle  part)における白い点について、12タップのウィナーフィルタは、その白い点より前の6つの黒い点と、その白い点より後の6つの黒い点とを使って補間を行う。中間部分の黒い点の場合、ウィナーフィルタは、その黒い点より前の6つの黒い点と、その黒い点より後の5つの黒い点と、自分自身とを使って補間を行う。図3に示されるように、2つの白い点と1つの黒い点が一緒にグループ化され、周波数領域補間の1つのエコー(echo)を形成する。以下の数式(6)−(8)は、これらのサブキャリアのCSIを計算する方法を示す。
【００１７】
【数２】
2010517338.tif 000004
しかしながら、OFDMシンボルの開始部分(beginning  part)及び終了部分(ending  part)は、特別に取り扱われる。開始部分の場合、開始部分中の点に先行する黒い点は、ウィナーフィルタリングを行う程度に充分多くはない。そのため、最初の16個の点の補間を行う場合、最初の12個の黒い点が使用される。そして、これらの点の係数は別途計算される。これは、終了部分(ending  part)の中の点についても同様である。最後の15個の点は、中間部分中の点と別様に取り扱われる。
【００１８】
したがって、周波数領域の補間を行う場合、34グループのウィナーフィルタ係数が計算及び保存される。さらに、OFDMシンボルの先頭部(head)及び末尾部(tail)を処理する場合、係数をリフレッシュする制御論理装置が追加されなければならない。これらは非効率的な設計になってしまう。なぜなら、わずか3つの係数グループだけが頻繁に使用され、制御論理装置もわずか数クロックサイクルの間でのみ動作するからである。
【００１９】
発明者等の知る限り、周波数領域の補間法は、通常、OFDMシンボルの開始部分及び終了部分を特別に取り扱っていた。さらなるメモリの節約及びさらなる電力の節約を図るため、本発明は、処理を行う前にダミーパイロット(dummy  pilots)を挿入し、それにより、OFDMシンボルの開始部分及び終了部分の特別な処理を省くことを提案する。最初のパイロットサブキャリア及び最後のサブキャリアのコピーを、OFDMシンボルの先頭部及び末尾部に仮想パイロットとして追加することで、開始部分及び終了部分のサブキャリアは、中央部分のサブキャリアと同様に処理可能になる。そのため、フィルタ係数のグループ数は著しく削減可能になり、メモリリソースの節約、制御論理装置の簡易化、及び電力消費量の削減等を大幅に促すことができる。
【００２０】
従来の問題に対処する、OFDMシステムにおける補間方法が、本実施例により提供される。図6に示されるように、OFDMシステムにおける補間方法はステップS602及びステップS604を有し、そのOFDMシステムにおける各OFDMシンボルは、まばらに挿入されたパイロットを有し、ステップS602は、各OFDMシンボルの最初の分散パイロットの少なくとも1つのコピーを、その最初の分散パイロットよりも前の位置に仮想パイロット(virtual  pilot)として挿入し、各OFDMシンボルの最後の分散パイロットの少なくとも1つのコピーを、その最後の分散パイロットよりも後の位置に仮想パイロットとして挿入することを、OFDMシンボル内で分散パイロットを伝送した(含んでいる)サブチャネルのチャネル状態情報が、線形フィルタリングにより取得された後に行うステップであり、ステップS604は、FIRフィルタにより、チャネル状態情報と共に補間を行うステップである。
【００２１】
図7に示されるように、OFDMシステムにおけるチャネル推定方法が実行され、本方法はステップS702から始まり、ステップS704及びS706に続き、ステップS702は、送信された既知の分散パイロットを分離することで、OFDMシンボルで受信した分散パイロットのCSIを推定するステップであり、ステップS704は、OFDMシンボルに線形フィルタリングを実行し、分散パイロットを含むサブチャネルのチャネル状態情報を取得し、そのチャネル状態情報を保存するステップであり、ステップS706は、各OFDMシンボルの最初の分散パイロットの少なくとも1つのコピーを、その最初の分散パイロットよりも前の位置に仮想パイロットとして挿入し、各OFDMシンボルの最後の分散パイロットの少なくとも1つのコピーを、その最後の分散パイロットよりも後の位置に仮想パイロットとして挿入し、そのチャネル状態情報を用いてFIRフィルタと共に補間を行うことで、チャネル推定を実行するステップである。
【００２２】
図8を参照するに、本発明によるチャネル推定装置が示されている。周波数領域のチャネル推定装置は、前段プロセッサ802、時間領域補間モジュール804、及び周波数領域補間モジュール806を有する。
【００２３】
前段プロセッサ802は、OFDMシンボル内の分散パイロットについてチャネル推定を実行するよう構築されている。
【００２４】
時間領域補間モジュール804は、前段プロセッサに結合され、OFDMシンボルに線形フィルタリングを施し、その分散パイロットを伝搬したサブチャネルのチャネル状態情報を取得する。時間領域補間モジュールでは、FIFOのようなRAMを使用して、受信データや算出されたCSIを保存する。線形フィルタリングは、シフタ及び加算器を利用することで簡易に実行される。
【００２５】
周波数領域補間モジュール806は、時間領域補間モジュールに結合され、そして、各OFDMシンボルの最初の分散パイロットの少なくとも1つのコピーを、その最初の分散パイロットよりも前の位置に仮想パイロットとして挿入し、各OFDMシンボルの最後の分散パイロットの少なくとも1つのコピーを、その最後の分散パイロットよりも後の位置に仮想パイロットとして挿入し、チャネル状態情報を用いてFIRフィルタと共に補間を行うことで、チャネル推定を実行するように構築されている。
【００２６】
周波数領域補間モジュールの主要なユニットは、ウィナーフィルタ(wiener  filter)である。ウィナーフィルタの係数を保存するROMや、係数をキャッシュするレジスタ群も併せて必要である。
【００２７】
上記の方法及び装置において、以下の数式による補間を実行することができる。
【００２８】
【数３】
2010517338.tif 000005
挿入される分散パイロット間の間隔は、ナイキスト(Nyquist)サンプリング理論を満足するものである。仮想パイロット数は、FIRフィルタ長の半分に決められる。
【００２９】
図9及び10に示されているように、開始部分の左側及び終了部分の右側にいくつかの灰色の点が付加されている。これらの灰色の点は、最初の黒い点(図4)及び最後の黒い点(図5)のコピーを表す。そして、総ての点は、中央部分の点が補間されるのと同じ方法で補間されることが可能である。例えば、最初の白い点は、それに先行する位置の2番目ないし6番目の灰色の点及び黒い点と、その白い点の後の6つの黒い点とを使用して、フィルタリングを実行することができる。
【００３０】
いくつかの仮想パイロットを追加することで、僅か3グループの係数しか保存されることを要しない。さらに、係数のリフレッシュ又は更新はサイクリックに(巡回式に)なるので、制御論理装置もかなり簡略化される。
【００３１】
DVB-TシステムにおけるBER(ビットエラーレート)の特性がシミュレートされた。以下の表1に示されているように、本発明が提案する「仮想パイロット」による方法は、従来のフィルタと同程度に良好に機能することがわかる。
【００３２】
表1−3方法の比較
【数４】
2010517338.tif 000006
BER特性のシミュレーションは、DVB-Tシステムに関して実行されている。シミュレーションのパラメータは表2に列挙されている。周波数領域補間の実効性(パフォーマンス)を正確に知るため、周波数領域補間のモジュールだけが固定小数点シミュレーション法を使用し、他のモジュールは浮動小数点シミュレーション法を使用している。
【００３３】
表2−BER特性シミュレーションにおけるパラメータ設定
【数５】
2010517338.tif 000007
本発明が提案する方法を使用することにより、補間にフィルタリングが使用される場合、OFDMシンボルの開始部分及び終了部分は、もはや特別に取り扱われる必要はない。そのため、フィルタ係数を保存する際かなり少ないメモリリソースしか必要とされず、制御論理装置も大幅に簡略化される。したがって、より多くのメモリ及びより多くの電力が節約される。
【００３４】
具体的な適用例は、パイロットを用いるマルチキャリアシステムの受信機におけるチャネル推定モジュールであり、例えば、DVB-T復調IPコア、DVB-T復調チップ、DVB-H復調IPコア、DVB-H復調チップ、802.16a復調IPコア、802.16a復調チップ等で使用可能である。マルチパスチャネルを取り扱う受信機の複雑さは、大幅に削減される。
【００３５】
以上、本発明の好適実施例及び形態に関する説明を行ってきたが、本発明から逸脱せずに、設計や構成の詳細に関する多くの変形例が存在することを、当業者は認識するであろう。本発明の範囲は、個々に開示された総ての特徴や、それらの特徴の可能な総ての置換及び組み合わせにも及ぶ。
【図１】
2010517338.tif 000011
【図２】
2010517338.tif 000012
【図３】
2010517338.tif 000013
【図４】
2010517338.tif 000014
【図５】
2010517338.tif 000015
【図６】
2010517338.tif 000016
【図７】
2010517338.tif 000017
【図８】
2010517338.tif 000018
【図９】
2010517338.tif 000019
【図１０】
2010517338.tif 000020
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
OFDMシステムにおける補間方法であって、該OFDMシステムにおける各OFDMシンボルは、まばらに挿入された分散パイロットを有し、当該方法は、
各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入することを、OFDMシンボル内で分散パイロットを伝送したサブチャネルのチャネル状態情報が取得された後に行うステップ(S602)と、
FIRフィルタにより、チャネル状態情報と共に補間を行うステップ(S604)と
を有する、補間方法。
【請求項２】
前記チャネル状態情報は、OFDMシンボルに線形フィルタリングを施すことで取得される、請求項1記載の補間方法。
【請求項３】
前記の補間は、
【数６】
2010517338.tif 000021
の数式にしたがって実行可能である、請求項1又は2に記載の補間方法。
【請求項４】
挿入されている分散パイロット間の間隔は、ナイキストサンプリング理論を満足するものである、請求項1ないし3の何れか1項に記載の補間方法。
【請求項５】
前記仮想パイロットの数は、前記FIRフィルタの長さの半分に決められている、請求項1ないし4の何れか1項に記載の補間方法。
【請求項６】
OFDMシステムにおけるチャネル推定方法であって、
送信された既知の分散パイロットを分離することで、OFDMシンボルで受信した分散パイロットのCSIを推定するステップ(S702)と、
前記OFDMシンボルに線形フィルタリングを施し、分散パイロットを伝送したサブチャネルのチャネル状態情報を取得し、該チャネル状態情報を保存するステップ(S704)と、
各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行するステップ(S706)と
を有するチャネル推定方法。
【請求項７】
前記チャネル状態情報は、OFDMシンボルに線形フィルタリングを施すことで取得される、請求項6記載のチャネル推定方法。
【請求項８】
前記の補間は、
【数７】
2010517338.tif 000022
の数式にしたがって実行可能である、請求項6又は7に記載のチャネル推定方法。
【請求項９】
挿入されている分散パイロット間の間隔は、ナイキストサンプリング理論を満足するものである、請求項6ないし8の何れか1項に記載のチャネル推定方法。
【請求項１０】
前記仮想パイロットの数は、前記FIRフィルタの長さの半分に決められている、請求項6ないし9の何れか1項に記載のチャネル推定方法。
【請求項１１】
OFDMシンボル内の分散パイロットについてチャネル推定を行う前段プロセッサと、
前記前段プロセッサに結合され、前記分散パイロットを伝送したサブチャネルのチャネル状態情報を取得する時間領域補間モジュールと、
前記時間領域補間モジュールに結合され、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行する、周波数領域補間モジュールと
を有するチャネル推定装置。
【請求項１２】
前記時間領域補間モジュールは、OFDMシンボルに線形フィルタリングを施し、チャネル状態情報を取得する、請求項11記載のチャネル推定装置。
【請求項１３】
前記の補間は、
【数８】
2010517338.tif 000023
の数式にしたがって実行可能である、請求項11又は12に記載のチャネル推定装置。
【請求項１４】
挿入されている分散パイロット間の間隔は、ナイキストサンプリング理論を満足するものである、請求項11ないし13の何れか1項に記載のチャネル推定装置。
【請求項１５】
前記仮想パイロットの数は、前記FIRフィルタの長さの半分に決められている、請求項11ないし14の何れか1項に記載のチャネル推定装置。
【手続補正２】
【補正対象書類名】明細書
【補正対象項目名】０００４
【補正方法】変更
【補正の内容】
【０００４】
本発明の一形態によれば、OFDMシステムにおける補間方法が使用され、該OFDMシステムにおける各OFDMシンボルは、まばらに挿入された分散パイロットを有し、当該方法は、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入することを、OFDMシンボル内で分散パイロットを伝送したサブチャネルのチャネル状態情報(CSI)が、線形フィルタリングにより取得された後に行うステップと、FIRフィルタにより、チャネル状態情報と共に補間を行うステップとを有する方法である。
【手続補正３】
【補正対象書類名】明細書
【補正対象項目名】０００５
【補正方法】変更
【補正の内容】
【０００５】
本発明の一形態によれば、OFDMシステムにおけるチャネル推定方法が使用され、当該方法は、送信された既知の分散パイロットを分離することで、OFDMシンボルで受信した分散パイロットのCSIを推定するステップと、前記OFDMシンボルに線形フィルタリングを施し、分散パイロットを伝送したサブチャネルのチャネル状態情報を取得し、該チャネル状態情報を保存するステップであり、各OFDMシンボルの最初の分散パイロットの少なくとも1つのコピーを、該最初の分散パイロットよりも前の位置に仮想パイロットとして挿入し、各OFDMシンボルの最後の分散パイロットの少なくとも1つのコピーを、該最後の分散パイロットよりも後の位置に仮想パイロットとして挿入し、前記チャネル状態情報を用いてFIRフィルタと共に補間を行うことで、チャネル推定を実行するステップとを有する方法である。
【国際調査報告】
2010517338.tif 000024
2010517338.tif 000025
2010517338.tif 000026